(57)【要約】【課題】呼び出された電気通信端末のユーザが着呼に応答する前の遅延の、発呼者に対する警告を提供すること。【解決手段】着呼は、電気通信端末が別の呼と通話中でない場合に、ユーザからの入力に応じて、電気通信端末またはその電気通信端末が接続されている交換システムによって応答される。応答された呼の音声経路は、ユーザとの通信に対して黙音とされる。ユーザがメッセージを選択した場合、そのメッセージが発呼者に送信される。【選択図】図１
2005287028.tif 000002
【特許請求の範囲】
【請求項１】
呼び出された電気通信端末のユーザが着呼に応答する前の遅延を、発呼者に警告する方法において、
前記電気通信端末が別の呼と通話中でない場合に、前記ユーザからの入力に応じて前記電気通信端末により前記着呼に応答するステップと、
前記応答された呼の音声経路を、前記ユーザとの通信に対して黙音とするステップと、
前記ユーザが選択したメッセージを、前記発呼者に送信するステップと
を含む方法。
【請求項２】
前記ユーザに対して黙音とされた前記音声経路による前記発呼者からの前記着呼を維持するステップと、
前記ユーザからの別の入力に応じて、前記ユーザによる発呼者との音声通信を可能にするステップと
をさらに含む請求項１に記載の方法。
【請求項３】
前記メッセージの送信後に前記着呼を終了するステップ
をさらに含む請求項１に記載の方法。
【請求項４】
前記メッセージは音声メッセージであり、前記音声メッセージが前記音声経路を介して前記発呼者に送信される請求項１に記載の方法。
【請求項５】
前記遅延を指定する時間を受信するステップと、
前記時間を所定のメッセージに挿入するステップと
をさらに含む請求項４に記載の方法。
【請求項６】
前記挿入するステップが、前記時間を、前記所定のメッセージへの挿入のための音声情報に変換するステップを含む請求項５に記載の方法。
【請求項７】
前記メッセージがテキスト・メッセージである請求項１に記載の方法。
【請求項８】
前記遅延を指定する時間を受信するステップと、
前記時間を所定のメッセージに挿入するステップと
をさらに含む請求項７に記載の方法。
【請求項９】
前記テキスト・メッセージの前記送信がテキスト・メッセージング・リンクを介する
請求項７に記載の方法。
【請求項１０】
前記電気通信端末が無線ハンドセットである請求項１に記載の方法。
【請求項１１】
電気通信端末が着呼に応答する前の遅延を、発呼者に警告する装置において、
前記電気通信端末が別の呼と通話中でない間に、着呼を検出するための手段と、
前記電気通信端末の移動を検出するための手段と、
前記着呼および移動の検出に際して、前記遅延を示すメッセージを前記発呼者に送信するための手段と
を含む装置。
【請求項１２】
前記送信するための手段が、音声メッセージを送信するための手段を含む請求項１１に記載の装置。
【請求項１３】
前記遅延を指定する時間を受信するための手段と、
前記時間を前記音声メッセージに挿入するための手段と
をさらに含む請求項１２に記載の装置。
【請求項１４】
前記送信するための手段が、テキスト・メッセージを送信するための手段を含む請求項１１に記載の装置。
【請求項１５】
前記遅延を指定する時間を受信するための手段と、
前記時間を前記テキスト・メッセージに挿入するための手段と
をさらに含む請求項１４に記載の装置。
【発明の詳細な説明】
【技術分野】
【０００１】
本発明は、電気通信システムに関し、詳細には、着呼に関連した動作に関する。
【背景技術】
【０００２】
従来技術では、無線電話（携帯電話または移動電話とも称される）による問題点の１つは、無線電話のユーザが呼び出しに応答すると不都合な場合に無線電話が着呼を受信する場合があるということである。例えば、ユーザは、会議中であるか、レストラン、自動車、または着呼に応答すると不都合または危険な他の場所にいる場合がある。従来技術では、発呼者が電話を切らないうちにその呼に応答することのできる場所に行こうとして、他人の迷惑にならずに無線電話で話すことができるように人が部屋から慌てて出てくる光景は日常茶飯事である。この従来技術は、無線電話の着信音による迷惑な問題が起こらないように、着呼を知らせる目的で無線電話内での振動の使用を教示する。しかし、これは、着呼に応答することのできる場所に行こうと慌てている無線電話のユーザには役に立たない。
【特許文献１】米国特許第６，１２５，２８５号
【特許文献２】米国特許第６，１９５，５５８号
【特許文献３】米国特許第６，２３６，８５８号
【特許文献４】米国特許第２００３０２０８３３６号
【発明の開示】
【発明が解決しようとする課題】
【０００３】
従来技術では、被呼者が、第１の呼との通話中に、被呼者は第２の呼に気付いており、待機期間中に第２の呼に応答する旨を第２の呼の発呼者に知らせることを可能にするシステムを提供することが知られている。第２の呼の発呼者には、被呼者が待機期間中に第２の呼に応答することを示す「パーソナル・アンサー」メッセージが提示される。次いで、被呼者が第１の呼を終了した際に、第２の呼に応答できるように、第２の呼の発呼者は保留状態に置かれる。しかし、従来技術は、着呼に応答することができる場所に行こうとしている無線電話のユーザの問題を解決する方法は教示していない。
【課題を解決するための手段】
【０００４】
呼び出された電気通信端末のユーザが着呼に応答する前の遅延を、発呼者に警告するための方法および装置。着呼は、電気通信端末が別の呼と通話中でない場合のユーザからの入力に応じて、電気通信端末または電気通信端末が接続されている交換システムにより応答される。応答された呼の音声経路は、ユーザとの通信に対しては黙音とされる。メッセージがユーザによって選択される場合、発呼者にメッセージが送信される。
【発明を実施するための最良の形態】
【０００５】
図１は、本発明の実施形態をブロック図で示している。無線システム１００において、システム無線コントローラ１１１は、ハンドセット１０８−１０９にサービスを提供する基地局１０１−１０７から構成される、無線ネットワークの統括制御を提供する。さらに、システム無線コントローラ１１１は、公衆交換電話網（ＰＳＴＮ）１１２にインターフェースし、音声メッセージ・システム（ＶＭＳ）１１３にインターフェースすることにより無線ハンドセットに対する音声メッセージの支援を提供する。システム無線コントローラ１１１はＰＳＴＮ  １１２に接続されているように示されているが、システム無線コントローラ１１１は、ＰＢＸのような専用交換システムにも接続することもできる。当業者には、無線システム１００がＰＢＸに不可欠な部分であることが容易に理解されよう。システム１００は、１つまたは複数の建物と広場にサービスを提供する。無線ハンドセット１０８は、会議室（会議室１１６）内にあるように示されている。
【０００６】
様々な実施形態を説明するために、次に示す例を想定する。電気通信端末１１４は、ＰＳＴＮ  １１２、システム無線コントローラ１１１、および基地局１０３を介して無線ハンドセット１０８に通話を申し込む（無線ハンドセット１０９またはいかなる他の電気通信端末でも、この例で通話を申し込むことができることに留意されたい）。無線ハンドセット１０８のユーザは、現在会議室１１６に居り、会議室１１６にいる間はその呼に応答することを望まない。一実施形態では、ユーザは、無線ハンドセット１０８の１つまたは複数のボタンを押す。無線ハンドセット１０８は、これらのボタンの駆動に反応し、ユーザが指定期間内にその呼に応答するという音声メッセージを電気通信端末１１４に送信する。無線ハンドセット１０８は、その呼に応答して、セットアップされた呼経路を介してその音声メッセージを電気通信端末１１４に直接送信することによりこの動作を実行する。一実施形態では、無線ハンドセット１０８は次いで、着呼を保留にするために、必須の制御情報をシステム無線コントローラ１１１に送信する。別の実施形態では、無線ハンドセット１０８は、音声情報を単に黙音とし、呼経路は維持する。送信された音声メッセージは、無線ハンドセット１０８内部に記憶される。別の実施形態では、無線ハンドセット１０８は、ユーザが固定期間内に電気通信端末１１４のユーザを呼び出す旨を示す音声メッセージを送信し、その着呼を終了する。先行の実施形態では、無線ハンドセット１０８は、電気通信端末１１４に、その呼が一定期間内に応答されることを通知するための動作すべてを制御した。ここで、無線ハンドセット１０８のユーザは、呼が応答されるまでの期間の長さを、電気通信端末１１４に送信されるメッセージ内で指定する機能を有することに留意されたい。
【０００７】
別の実施形態では、無線ハンドセット１０８は、着呼および、ボタンの駆動またはメニュ・システムの使用に反応して、システム無線コントローラのＴＸＴメッセージ・サービスを利用するテキスト・メッセージを送信する。これは、発呼側電気通信端末が、無線ハンドセット１０９のような別の無線ハンドセットである場合には特に有用である。ここでもまた、テキスト・メッセージを発呼者に送信する際に、無線ハンドセット１０８は着呼を保留にするか、その呼に接続したままでいるか、またはその呼を終了することができる。呼が終了された場合、無線ハンドセット１０８のユーザは、元の発呼者に対して新しい呼を発信する。電気通信端末１１４がデジタル・ディスプレイを有するか、またはパーソナル・コンピュータのソフトフォンとして実施される場合、テキスト・メッセージは、そのデジタル・ディスプレイまたはパーソナル・コンピュータの表示画面上に表示される。
【０００８】
別の実施形態では、無線ハンドセット１０８のユーザは、ボタンまたはメニュ・システムを駆動せず、無線ハンドセット１０８が、そのユーザが会議室１１６から移動中であることを検出して自動で音声メッセージまたはテキスト・メッセージを発呼者に送信する。無線ハンドセットにその位置および移動を検出させる技術は、当業者には周知である。米国特許第６，１２５，２８５号、第６，１９５，５５８号、および第６，２３６，８５８号は、無線ハンドセットの場所を突き止める方法およびシステムを開示する。米国特許第２００３０２０８３３６号は、無線ハンドセットの場所を突き止める方法およびシステムを開示する。
【０００９】
別の実施形態では、無線ハンドセット１０８は、ボタンまたはメニュー動作の駆動に反応して、メッセージをシステム無線コントローラ１１１に送信する。このメッセージは、システム無線コントローラ１１１に、ユーザが指定期間内にその呼に応答すること、システム無線コントローラ１１１はその呼を保留にすることを通知する。その呼を保留にした後、システム無線コントローラ１１１は、内部音声応答ユニットまたは音声メッセージ・システム１１３を利用して、音声またはテキスト・メッセージを発呼者に送信する。無線ハンドセット１０８が、ユーザが所定期間内に発呼者に折り返し電話する旨を知らせた場合、システム無線コントローラ１１１は、テキストまたは音声メッセージを発呼者に送信し、その着呼を切る。
【００１０】
別の実施形態では、システム無線コントローラ１１１が無線ハンドセット１０８に通話を申し込む場合、システム無線コントローラ１１１は、無線ハンドセット１０８が会議室１１６から移動中か否かを判定するために、無線ハンドセット１０８の移動を監視する。移動が検出された場合、システム無線コントローラ１１１は適切なメッセージを発呼者に送信する。
【００１１】
図２は、無線ハンドセットの一実施形態をブロック図で示す。素子２０３〜２０８はクロック２０９と共に、基本無線周波数関数を提供する。クロック２０９は、基本無線周波数関数にタイミングを提供し、またプロセッサ２０１にクロック信号を提供する。ハイブリッド２１０および素子２１１〜２１４は、音声出力および入力をユーザに提供する。音声トランスデューサ２１７は、プロセッサ２０１がユーザに気付かせようとする各種状況に応じて、音声または振動警告信号をユーザに提供する。ディスプレイ２１６は、プロセッサ２０１がユーザに情報を表示するために使用される。ユーザ入力インターフェース２０５は、ユーザの希望をユーザがプロセッサ２０１に信号で知らせる基本インターフェースを提供する。ユーザ・インターフェース２０５は、限定はしないが、キーパッド、別個のボタン、およびメニュー駆動パッドを含むことができる。プロセッサ２０１は、メモリ２１８内の制御ルーチン２２１を実行することにより、無線ハンドセットの動作全体を制御する。ルーチン２２２を実行中のプロセッサ２０１により呼通知関数が実行される。データ・ブロック２１９は、その関数を実行するためにプロセッサ２０１が利用するデータを記憶する。一実施形態では、位置検出器２２３は、無線ハンドセットの位置および移動を特定する。別の実施形態では、プロセッサ２０１は位置関数を実行する。
【００１２】
被呼者が所定期間内または調整可能期間内にその呼に応答することを示すメッセージを発呼者に送信すべきか否かを判定するための位置および／または移動の使用は、次に示す方法で特定される。その検出が会議室または事務室などの物理的位置からのものである場合、発呼者へのメッセージの送信の判定は、着呼受信後のハンドセットの移動距離またはハンドセットの移動速度に基づくことができる。この判定のために速度が使用される場合、その速度は一定間隔で維持される必要がある。第２の場合では、ハンドセットが自動車内にあると想定すると、発呼者に遅延を示すメッセージを送信するために減速を使用することができる。このような減速は、その自動車の運転手が着呼に応答するために自動車を路肩に寄せていることを示すものと想定される。
【００１３】
図３は、無線ハンドセット、ハードワイヤード電話、または限定はしないがパーソナル・コンピュータの実施するＩＰソフトフォン機能のような着信音声呼び出しに応答するいかなる他のタイプの通信端末によっても実行される動作の一実施形態を、フローチャート形式で示す。一度ブロック３００から開始すると、決定ブロック３０１は、着呼があるか否かを判定する。答がＮＯである場合、ブロック３０３は、制御を決定ブロック３０１に戻す前に、通常処理を実行する。決定ブロック３０１で答がＹＥＳの場合、決定ブロック３０２は、ユーザが一定期間だけその呼に対する応答を遅らせることを希望することを示すか否かを判定する。ユーザは、この希望を様々な方法で示すことができるが、それはハンドセットを制御するコントローラに提供される遅延応答指示となる。決定ブロック３０２で答がＮＯの場合、制御は決定ブロック３０４に転送され、そこで決定ブロック３０１に制御が戻される前に、通常処理が行われる。決定ブロック３０２で答がＹＥＳの場合、決定ブロック３０６は、ユーザが発呼者に送信されるべきメッセージのタイプを指定する指示を検査する。決定ブロック３０６で答がＮＯの場合、ブロック３０７は、決定ブロック３０９に制御を転送する前に、デフォルト・メッセージを選択する。デフォルト・メッセージは、ユーザが発呼者に応答する既定の期間を指定する。決定ブロック３０６で答がＹＥＳの場合、ブロック３０８は、制御をブロック３０９に転送する前に、指定済みのメッセージを選択する。ブロック３０８の動作の詳細は、図４のフローチャートに示す。
【００１４】
決定ブロック３０９は、選択された指定済みメッセージまたは選択されたデフォルト・メッセージが、そのメッセージの送信後に着呼の終了を要求するか否かを判定する。ここで、この状況で呼が終了するということは、その呼がドロップされるということを意味する。決定ブロック３０９で答がＹＥＳの場合、制御はブロック３１４に転送され、そこで制御を決定ブロック３０１に戻す前に、選択されたメッセージが送信され、呼が終了される。
【００１５】
決定ブロック３０９で答がＮＯの場合、ブロック３１１は、音声情報が一切ハンドセットによって送信されたり受信されたりしないように、選択されたメッセージを発呼者に送信し、その呼経路を黙音とする。ブロック３１１の実行後、ブロック３１２は、ハンドセットのユーザから、今なら着呼に応答することを希望する旨の指示を待つ。決定ブロック３１２で答がＮＯの場合、決定ブロック３１２は再実行される。さらに、当業者には容易に理解されようが、決定ブロック３１２は、動作を終了して制御を決定ブロック３０１に戻す前に、所定期間だけ待つ。決定ブロック３１２で答がＹＥＳの場合、ブロック３１３は、制御を決定ブロック３０１に戻す前に、発呼者がハンドセットのユーザと話すことができるように、呼経路を活動状態にする。
【００１６】
図４は、図３のブロック３０８の動作のさらなる詳細をフローチャート形式で示す。決定ブロック４０１は、決定ブロック３０６から制御を受け取る。決定ブロック４０１は、ユーザが所定のメッセージを選択したか否かを判定する。ユーザは、ハンドセットを、例えば、ユーザが発呼者に折り返し電話することを約束する時間がそれぞれに異なる４つの音声メッセージを有するようにプログラムすることができる。決定ブロック４０１で答がＹＥＳの場合、制御はブロック４０５に転送されるが、そこでは制御を決定ブロック４０７に転送する前に、ユーザは事前プログラムされた音声メッセージの１つを選択することができる。事前プログラムされたメッセージが１つしかない場合、ブロック４０５は制御を決定ブロック４０７に即座に転送する。決定ブロック４０１で答がＮＯの場合、ブロック４０２は、ユーザが着呼に応答するまで発呼者がどれだけ待てばよいかを定義する「時間」をユーザに要求する。ブロック４０２は、制御を決定ブロック４０３に転送し、そこで、要求時間がユーザから受信されたか否かが判定される。ユーザは、ハンドセットのユーザ入力インターフェースまたは何らかの他の入力装置を使用して、要求時間を入力する。決定ブロック４０３で答がＮＯの場合、ブロック４０４は、所定の時間を「時間」として使用する。決定ブロック４０３で答がＹＥＳの場合、ブロック４０６は、制御を決定ブロック４０７に転送する前に、「時間」をユーザから受信した時間にセットする。
【００１７】
決定ブロック４０７は、発呼者に送信されるべきメッセージが音声メッセージであるか否かを判定する。決定ブロック４０７で答がＮＯの場合、ブロック４０８は、テキスト・メッセージを取り出し、ブロック４０９は、制御を図３のブロック３０９に転送する前に、ブロック４０４または４０６によって決定された「時間」をこの取り出されたメッセージに挿入する。決定ブロック４０７で答がＹＥＳの場合、ブロック４１１は、制御をブロック４１２に転送する前に、ユーザから受信した「時間」を音声情報に変換する。ブロック４１２は、音声メッセージの標準本文を記憶域から取り出し、ブロック４１３は、制御を図３の決定ブロック３０９に転送する前に、「時間」を定義する音声情報を音声メッセージの取り出された本体に挿入する。
【００１８】
図５は、図１のシステム無線コントローラ１１１、図６の電気通信交換システム６０１、ハードワイヤード電話のような交換システム、または限定はしないがパーソナル・コンピュータで実施されるＩＰソフトフォン機能のような着信音声呼び出しに反応するいかなる他のタイプの通信端末でもよい交換システムにより実行される動作の一実施形態を、フローチャート形式で示す。一度ブロック５００で開始されると、決定ブロック５０１は、着呼があるか否かを判定する。答がＮＯの場合、ブロック５０３は、制御を決定ブロック５０１に戻す前に、通常処理を実行する。決定ブロック５０１で答がＹＥＳの場合、決定ブロック５０２は、ユーザが電気通信端末を介して、一定期間だけ呼への応答を遅らせたい旨を示すか否かを判定する。ユーザは、この希望を様々な方法で示すことができるが、それはハンドセットを制御するコントローラに提供される遅延応答指示となる。決定ブロック５０２で答がＮＯの場合、制御は決定ブロック５０４に転送され、そこで制御を決定ブロック５０１に戻す前に、通常処理が実行される。決定ブロック５０２で答がＹＥＳの場合、決定ブロック５０６は、発呼者に送信されるべきメッセージのタイプをユーザが指定している指示を検査する。決定ブロック５０６で答がＮＯの場合、ブロック５０７は、決定ブロック５０９に制御を転送する前に、デフォルト・メッセージを選択する。デフォルト・メッセージは、ユーザが発呼者に応答する既定の期間を指定する。決定ブロック５０６で答がＹＥＳの場合、ブロック５０８は、制御をブロック５０９に転送する前に、指定されたメッセージを選択する。ブロック５０８の動作の詳細は、図４のフローチャートに関して提供されたものと同様である。
【００１９】
決定ブロック５０９は、選択された指定済みメッセージまたは選択されたデフォルト・メッセージが、メッセージの送信後に着呼を終了させることを要求するか否かを判定する。ここで、この状況で呼が終了するということは、その呼がドロップされるということを意味する。決定ブロック５０９で答がＹＥＳの場合、制御はブロック５１４に転送され、そこで制御を決定ブロック５０１に戻す前に、選択されたメッセージが送信され、呼が終了される。
【００２０】
決定ブロック５０９で答がＮＯの場合、ブロック５１１は、音声情報が一切ハンドセットによって送信されたり受信されたりしないように、選択されたメッセージを発呼者に送信し、その呼経路を黙音とする。ブロック５１１の実行後、ブロック５１２は、ハンドセットのユーザから、今なら着呼に応答することを希望する旨の指示を待つ。決定ブロック５１２の答がＮＯの場合、決定ブロック５１２は再実行される。さらに、当業者には容易に理解されようが、決定ブロック５１２は、動作を終了して制御を決定ブロック５０１に戻す前に、いくらかの所定期間だけ待つ。決定ブロック５１２で答がＹＥＳの場合、ブロック５１３は、制御を決定ブロック５０１に戻す前に、発呼者がハンドセットのユーザと話すことができるように、呼経路を活動状態にする。
【００２１】
図６は、本発明の一実施形態をブロック図で示す。電気通信交換システム６００は、広域ネットワーク（ＷＡＮ）６１１を介してＩＰ電話６１２〜６１４に電話サービスを提供する。さらに、電気通信交換システム６００は、自社開発のデジタル・プロトコル、ＩＳＤＮプロトコル、またはアナログ・プロトコルを利用する交換ネットワーク６０５に直接接続されている電話６０７〜６０８のような電話に対してサービスを提供することができる。電気通信交換システム６００は、電話局の中継線６０９を介して公衆交換電話網６１６と相互接続する。電気通信交換システム６００は、ネットワークの中継線６０６を介してＷＡＮ  ６１１とインターフェースする。制御コンピュータ６０１は、電気通信交換システム６００の動作全体を制御する。
【００２２】
図３〜５に示すように、デバイス１１１、２０１、または６０１の動作がソフトウェアで実施される場合、そのソフトウェアは、いかなるコンピュータ関連システムまたは方法によっても使用され、またはそれと接続するために、いかなるコンピュータ可読媒体にでも記憶することができるということに留意されたい。本明細書では、コンピュータ可読媒体は、コンピュータ関連システムまたは方法により使用され、またはそれと接続するために、コンピュータ・プログラムを含み、または記憶することのできる、電子、磁気、光、または他の物理的デバイスまたは手段である。デバイス１１１、２０１、または６０１は、コンピュータ・ベースのシステム、プロセッサ収容システムのような命令実行システム、装置、またはデバイス、または命令実行システム、装置、またはデバイスから命令をフェッチしてその命令を実行することのできる他のシステムによって使用され、またはそれに接続するために、コンピュータ可読媒体で実施することができる。本明細書では、「コンピュータ可読媒体」は、命令実行システム、装置、またはデバイスによって使用されるか、またはそれに接続するための、プログラムを記憶し、伝達し、伝播し、または転送することのできるいかなる手段であってもよい。例えば、コンピュータ可読媒体は、限定はしないが、電子、磁気、光、電磁気、赤外線、または半導体システム、装置、デバイス、または伝播媒体であってよい。コンピュータ可読媒体のさらに具体的な例（包括リスト）には、１つまたは複数の電線を有する電気接続（電子）、携帯コンピュータ・ディスケット（磁気）、ランダム・アクセス・メモリ（ＲＡＭ）（電子）、読み出し専用メモリ（ＲＯＭ）（電子）、消去可能プログラム可能読み出し専用メモリ（ＥＰＲＯＭ、ＥＥＰＲＯＭ、またはフラッシュ・メモリ）（電子）、光ファイバ（光）、および携帯コンパクト・ディスク読み出し専用メモリ（ＣＤＲＯＭ）（光）が含まれる。コンピュータ可読媒体は、プログラムが印刷される紙または他の適切な媒体であってもよいということに留意されたい。何故ならば、このプログラムは、必要に応じて、紙または他の媒体の光学読み取りによって電子的に取り込まれ、コンパイル、翻訳、または適切な方法による他の処理が施され、コンピュータのメモリに記憶することができるからである。
【００２３】
デバイス１１１、２０１、または６０１がハードウェアで実施される代替形態では、デバイス１１１、２０１、または６０１が、それぞれが当技術分野で周知の、データ信号に対して論理関数を実施するための論理ゲートを有する１つ以上の個別論理回路、適切な組み合わせ論理ゲートを有する特定用途向けＩＣ（ＡＳＩＣ）、１つ以上のプログラム可能ゲートアレイ（ＰＧＡ）、ユーザが書き込み可能なゲートアレイ（ＦＰＧＡ）などの技術のどれか、またはこれらの組み合わせで実施することができる。
【図面の簡単な説明】
【００２４】
【図１】システムの一実施形態を示すブロック図である。
【図２】無線ハンドセットの一実施形態を示すブロック図である。
【図３】無線ハンドセットの動作を実施する一実施形態を、フローチャート形式で示す図である。
【図４】図３の一部を詳細にフローチャート形式で示す図である。
【図５】システム・コントローラにより実行される動作を、フローチャート形式で示す図である。
【図６】システムの別の実施形態を示すブロック図である。
【図１】
2005287028.tif 000003
【図２】
2005287028.tif 000004
【図３】
2005287028.tif 000005
【図４】
2005287028.tif 000006
【図５】
2005287028.tif 000007
【図６】
2005287028.tif 000008